(57)【要約】【課題】光軸方向の厚みを薄くした羽根駆動装置を提供する。【解決手段】光軸を中心とする開口部の少なくとも一部を遮蔽するよう移動自在な羽根部材を保持するベース部材と、羽根部材を差し込み可能なスリットが設けられ、ベース部材に取り付けられるレンズバレルと、羽根部材を開状態または閉状態に駆動するアクチュエータと、を備え、羽根部材が閉状態のとき、開口部の少なくとも一部が羽根部材によって遮蔽され、羽根部材が開状態のとき、開口部が羽根部材によって遮蔽されず、羽根部材の先端がスリットに差し込まれた状態となる、羽根駆動装置である。【選択図】図１
2019049671.tif 000002
【特許請求の範囲】
【請求項１】
光軸を中心とする開口部の少なくとも一部を遮蔽するよう移動自在な羽根部材を保持するベース部材と、
前記羽根部材を差し込み可能なスリットが設けられ、前記ベース部材に取り付けられるレンズバレルと、
前記羽根部材を開状態または閉状態に駆動するアクチュエータと、を備え、
前記羽根部材が閉状態のとき、前記開口部の少なくとも一部が前記羽根部材によって遮蔽され、
前記羽根部材が開状態のとき、前記開口部が前記羽根部材によって遮蔽されず、前記羽根部材の先端が前記スリットに差し込まれた状態となる、
羽根駆動装置。
【請求項２】
前記羽根部材と連結されたレバー部材と、
前記レバー部材を揺動可能に前記ベースに保持する保持部材と、をさらに備え、
前記アクチュエータは、
前記レバー部材に保持されたマグネットと、
前記マグネットおよび前記レバー部材を囲うように、前記保持部材の周りに巻回されるコイルと、を含む、
請求項１に記載の羽根駆動装置。
【請求項３】
前記羽根部材と前記レバー部材とを連結する連結部と、
前記連結部による前記羽根部材と前記レバー部材との連結を保持する連結保持部材とを、さらに備える、
請求項１または請求項２に記載の羽根駆動装置。
【請求項４】
前記羽根部材は、作動面と、前記作動面よりも光軸方向後方に一段下がった段差面を含み、
前記連結保持部材は、光軸方向の一方の面が前記段差面と対面し、光軸方向の他方の面が作動面よりも光軸方向後方に位置する、
請求項３に記載の羽根駆動装置。
【請求項５】
前記羽根部材は、前記レバー部材と一体に形成される、
請求項１または請求項２に記載の羽根駆動装置。
【請求項６】
前記羽根部材の光軸方向の厚みは、前記スリットの幅に対して２０％以上９５％以下である、
請求項１から請求項５のいずれか１項に記載の羽根駆動装置。
【請求項７】
請求項１から請求項６のいずれか１項に記載の羽根駆動装置を備える、撮像装置。
【請求項８】
請求項１から請求項６のいずれか１項に記載の羽根駆動装置を備える、携帯電子機器。
【発明の詳細な説明】
【技術分野】
【０００１】
本発明は、羽根を駆動するための羽根駆動装置などに関する。
【背景技術】
【０００２】
従来から、羽根を駆動することで露光開口の大きさを調整したり、露光開口の開閉を制御したりする、絞り装置、シャッタ、及びフィルタ切り替え装置などが知られている。このような装置に関する背景技術の一例が特許文献１に開示されている。この特許文献１のレンズ装置では、鏡筒本体の側面に設けられた２つの挿通孔に絞り装置が挿入される。
【先行技術文献】
【特許文献】
【０００３】
【特許文献１】特開２００４−３４８０３０号公報
【発明の概要】
【発明が解決しようとする課題】
【０００４】
しかしながら、このようなレンズ鏡筒を携帯電話機用のカメラモジュールで利用する場合、レンズ鏡筒の光軸方向の厚み（長さ）が問題となる。絞り機構とレンズとの間隔を狭めるなどして薄型化を図っても、絞り機構の光軸方向の厚みによって、レンズ鏡筒全体の光軸方向の厚みが長くなってしまう。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
光軸を中心とする開口部の少なくとも一部を遮蔽するよう移動自在な羽根部材（２４，６０）を保持するベース部材（１２，５０）と、
前記羽根部材を差し込み可能なスリット（３８）が設けられ、前記ベース部材に取り付けられるレンズバレル（２８）と、
前記羽根部材を開状態または閉状態に駆動するアクチュエータ（１６，２２）と、を備え、
前記羽根部材が閉状態のとき、前記開口部の少なくとも一部が前記羽根部材によって遮蔽され、
前記羽根部材が開状態のとき、前記開口部が前記羽根部材によって遮蔽されず、前記羽根部材の先端が前記スリットに差し込まれた状態となる、
羽根駆動装置である。
【０００７】
上記構成の羽根駆動装置では、羽根駆動装置の光軸方向の厚みの増加につながる羽根部材を支持する部材を用いることなく、羽根部材がレンズバレル内を確実に動作するようにできる。これにより、羽根部材を支持する部材を用いた構成と比較して、光軸方向の厚みの薄い（光軸方向に短い）、比較的小型の羽根駆動装置を構成することができる。
【０００８】
上記羽根駆動装置において、好ましくは、
前記羽根部材と連結されたレバー部材（１４）と、
前記レバー部材を揺動可能に前記ベースに保持する保持部材（１８）と、をさらに備え、
前記アクチュエータは、
前記レバー部材（１４）に保持されたマグネット（１６）と、
前記マグネットおよび前記レバー部材を囲うように、前記保持部材の周りに巻回されるコイル（２２）と、を含む。
【０００９】
上記羽根駆動装置によれば、レバー部材がマグネットを保持し、その周囲をコイルが囲った構成とすることで、電磁アクチュエータを構成するマグネットとコイルとを、レバー部材とは全く異なる部分に配置する場合に比べて、比較的コンパクトにマグネット、コイルおよびレバー部材をベース部材に対して配置することができる。
【００１０】
上記羽根駆動装置において、好ましくは、
前記羽根部材と前記レバー部材とを連結する連結部（１４ｂ，２４ａ）と、
前記連結部による前記羽根部材と前記レバー部材との連結を保持する連結保持部材（２６）とを、さらに備える。
【００１１】
上記羽根駆動装置によれば、レバー部材と羽根部材とを別部材にすることで、コイルをベース部材に巻回した後に羽根部材を取り付けることができるため、羽根駆動部の組み立てを容易にすることができる。
【００１２】
上記羽根駆動装置において、好ましくは、
前記羽根部材は、作動面（２４ｂ）と、前記作動面よりも光軸方向後方に一段下がった段差面（２４ｃ）を含み、
前記連結保持部材は、光軸方向の一方の面が前記段差面と対面し、光軸方向の他方の面が作動面よりも光軸方向後方に位置する。
【００１３】
上記羽根駆動装置によれば、レバー部材と羽根部材との連結を保持する連結保持部材を、光軸方向において作動面よりも飛び出すことなく、ベース部材に設けることができる。
【００１４】
上記羽根駆動装置において、好ましくは、
前記羽根部材は、前記レバー部材と一体に形成される。
【００１５】
上記羽根駆動装置によれば、羽根部材にレバー部材を一体形成することで、上述した連結保持部を用いることなく、ベース部材が羽根部材を安定して保持することができる。これにより、羽根駆動部材の部品点数を減らすことができ、材料コスト等を削減することができる。
【００１６】
上記羽根駆動装置において、好ましくは、
前記羽根部材の光軸方向の厚みは、前記スリットの幅に対して２０％以上９５％以下である。
【００１７】
上記羽根駆動装置によれば、羽根部材を支持する部材を用いずに羽根部材を適切に駆動することができるとともに、羽根駆動装置の光軸方向の厚みを薄くすることができる。
【００１８】
また、本発明は、上記羽根駆動装置を備える撮像装置を含む。
【００１９】
上記撮像装置によれば、光軸方向に薄型化された羽根駆動装置を採用することで、撮像装置の光軸方向の薄型化および小型化を図ることができる。
【００２０】
また、本発明は、上記羽根駆動装置を備える携帯電子機器を含む。
【００２１】
上記撮像装置によれば、光軸方向に薄型化された羽根駆動装置を採用することで、携帯電子機器の光軸方向の薄型化および小型化を図ることができる。
【図面の簡単な説明】
【００２２】
【図１】図１は、この発明の一実施例の羽根駆動装置の分解斜視図である。
【図２】図２は、図１に示す羽根駆動部の平面図である。
【図３】図３は、図１に示す羽根駆動部の他の平面図である。
【図４】図４は、図１に示す羽根駆動部の他の平面図である。
【図５】図５は、図４に示す羽根駆動部のＡ−Ａの位置における断面図である。
【図６】図６は、図１に示す羽根駆動部の他の平面図である。
【図７】図７は、図１に示す羽根駆動部の他の平面図である。
【図８】図８は、図１に示すレンズバレルの斜視図である。
【図９】図９は、図１に示す羽根駆動装置の平面図である。
【図１０】図１０は、図１に示す羽根駆動装置の他の平面図である。
【図１１】図１１は、図１に示す羽根駆動装置の側面図である。
【図１２】図１２は、図９に示す羽根駆動装置のＢ−Ｂの位置における断面図である。
【図１３】図１３は、図１に示す羽根駆動装置の他の平面図である。
【図１４】図１４は、図１３に示す羽根駆動装置のＣ−Ｃの位置における断面図である。
【図１５】図１５は、この発明の他の実施例の羽根駆動装置の分解斜視図である。
【図１６】図１６は、図１５に示す羽根駆動部の平面図である。
【図１７】図１７は、図１５に示す羽根駆動部の他の平面図である。
【図１８】図１８は、図１５に示す羽根駆動部の他の平面図である。
【図１９】図１９は、図１５に示す羽根駆動装置の平面図である。
【図２０】図２０は、図１５に示す羽根駆動装置の他の平面図である。
【図２１】図２１は、図１または図１５に示す羽根駆動装置を備える撮像装置および携帯電子機器の一例を示す図である。
【発明を実施するための形態】
【００２３】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．補足事項
【００２４】
＜１．実施形態１＞
本実施形態の羽根駆動装置１０では、光軸を中心とする開口部の少なくとも一部を遮蔽するように羽根部材２４が移動する構成とされている。羽根駆動装置１０は、羽根部材２４を保持するベース部材１２にレンズバレル２８が取り付けられ、電磁アクチュエータによって羽根部材２４が開状態または閉状態に駆動される。閉状態では、開口部の少なくとも一部が羽根部材２４によって遮蔽される。一方、開状態では、開口部は羽根部材２４により遮蔽されず開放されたまま、レンズバレル２８のスリット３８に羽根部材の先端が差し込まれた状態となることを特徴の一つとしている。以下、本実施形態の羽根駆動装置１０について、図面を参照しながら具体的に説明する。
【００２５】
図１は、本実施形態の羽根駆動装置１０の分解斜視図である。
【００２６】
図１から図５などに示されるように、本実施形態の羽根駆動装置１０は、ベース部材１２、レバー部材１４、マグネット１６、保持部材１８、磁性体２０、コイル２２、羽根部材２４、連結保持部材２６、及びレンズバレル２８を含んで構成される。なお、本明細書では、羽根駆動装置１０において、レンズバレル２８を除く、ベース部材１２、レバー部材１４、マグネット１６、保持部材１８、磁性体２０、コイル２２、羽根部材２４および連結保持部材２６をまとめて羽根駆動部と称することがある。
【００２７】
ベース部材１２は、樹脂製であり、羽根部材２４を移動自在に保持する。ベース部材１２は、レバー部材１４の回転ピン１４ａが嵌合される第１嵌合孔１２ａ、羽根部材２４の連結ピン２４ａが貫通する長孔１２ｂ、及びコイル２２の一部が巻回される第１巻回部１２ｃなどを含んで構成される。
【００２８】
レバー部材１４は、樹脂製であり、羽根部材２４を駆動するための部材である。レバー部材１４は、レバー部材１４の回転中心となる２つの回転ピン１４ａ、羽根部材２４の連結ピン２４ａと連結される連結部１４ｂ、及びマグネット１６を保持する収容部１４ｃなどを含んで構成される。
【００２９】
マグネット１６は、Ｓ極及びＮ極の２極に着磁されており、後述するコイル２２と共に電磁アクチュエータを構成する。
【００３０】
保持部材１８は、樹脂製であり、レバー部材１４を揺動可能に保持する共にコイル２２が巻回される。保持部材１８は、レバー部材１４の回転ピン１４ａが嵌合される第２嵌合孔１８ａ、及びコイル２２の他の一部が巻回される第２巻回部１８ｂを含んで構成される。
【００３１】
磁性体２０は、たとえば金属などの磁性体で形成されており、レバー部材１４を初期位置で保持するために用いられる。磁性体２０は、第１巻回部１２ｃおよび第２巻回部１８ｂを覆うように折り曲げられた２つの襷部２０ａを含んで構成される。
【００３２】
コイル２２は、ベース部材１２の第１巻回部１２ｃおよび保持部材１８の第２巻回部１８ｂに導線を巻回すことで形成される。コイル２２は、上述したマグネット１６と共に電磁アクチュエータを構成し、レバー部材１４を介して羽根部材２４を駆動する。
【００３３】
羽根部材２４は、光を遮蔽する部材で形成され、光軸を中心とする開口部の少なくとも一部を遮蔽するために用いられる。このような羽根部材２４は、連結ピン２４ａ、作動面２４ｂ、段差面２４ｃ、及び絞り開口２４ｄを含んで構成される。連結ピン２４ａは、レバー部材１４と連結する。作動面２４ｂは、開口部の少なくとも一部を遮蔽する。段差面２４ｃは、連結ピン２４ａと作動面２４ｂとの間に設けられ、その作動面２４ｂに対して光軸方向後方に一段下がっている。絞り開口２４ｄは、作動面２４ｂに設けられる。
【００３４】
なお、羽根部材２４は、絞り開口２４ｄを有し、羽根駆動装置１０を搭載する撮像装置で絞りとして機能することから、絞り羽根と言われることもある。また、連結ピン２４ａは、電磁アクチュエータの駆動力が伝達されることから、駆動ピンと言われることもある。また、他の実施形態の羽根部材２４は、露光開口の全体を覆うシャッタ羽根、またはＩＲカットフィルタなどを用いたフィルタ羽根であってもよい。
【００３５】
連結保持部材２６は、レバー部材１４と羽根部材２４との連結を保持するための部材である。また、連結保持部材２６は、光軸方向の一方の面が段差面２４ｃと対面し、光軸方向の他方の面が作動面２４ｂよりも光軸方向後方に位置する。
【００３６】
ここで、羽根駆動部を組み立てる手順を説明する。まず、図１から図５に示すように、レバー部材１４の収容部１４ｃにマグネット１６を配置する。次に、マグネット１６を保持したレバー部材１４の一方側の回転ピン１４ａをベース部材１２の第１嵌合孔１２ａに嵌合する。続いて、他方側の回転ピン１４ａが保持部材１８の第２嵌合孔１８ａと嵌合するように保持部材１８がベース部材１２に取り付けられる。これにより、レバー部材１４（マグネット１６）は、ベース部材１２と保持部材１８との間に挟まれた状態となる。なお、マグネット１６とコイル２２とは、まとめて電磁アクチュエータと言われることもある。
【００３７】
このように、レバー部材１４がマグネット１６を保持し、その周囲をコイル２２が囲った構成とすることで、電磁アクチュエータを構成するマグネットとコイルとを、レバー部材とは異なる部分に配置する場合に比べて、比較的コンパクトにマグネット１６、コイル２２およびレバー部材１４をベース部材１２に対して配置することができる。
【００３８】
続いて、ベース部材１２の第１巻回部１２ｃ、および保持部材１８の第２巻回部１８ｂに対して、コイル２２の導線を巻回する。このように、コイル２２を設けることで、保持部材１８をベース部材１２に対してより確実に固定することができる。そして、このようにして設けられたコイル２２の一部を覆うように、磁性体２０が取り付けられる。
【００３９】
次に、羽根部材２４は、ベース部材１２の長孔１２ｂを介して、レバー部材１４の連結部１４ｂに形成された孔に連結ピン２４ａが嵌合される。連結保持部材２６は、レバー部材１４と羽根部材２４との連結を維持するために、ベース部材１２に取り付けられる。
【００４０】
このように、レバー部材１４と羽根部材２４とを別部材にすることで、コイル２２をベース部材１２に巻回した後に羽根部材２４を取り付けることができるため、羽根駆動部の組み立てを容易にすることができる。
【００４１】
このように羽根駆動部が組み立てられた状態では、レバー部材１４に設けられたマグネット１６と磁性体２０との間には磁気吸引力が生じ、マグネット１６は磁性体２０に吸引される。マグネット１６は、レバー部材１４におり保持されているため、マグネット１６と磁性体２０との間の磁気吸引力によって、レバー部材１４が移動する。具体的には、マグネット１６の端部のそれぞれが、磁性体２０の２つの襷部２０ａと近接した状態でレバー部材１４が停止する。図２および図３に示すように、このようにしてレバー部材１４が停止する位置が、レバー部材１４の初期位置となる。
【００４２】
また、コイル２２に電力が供給されるとコイル２２が磁力を帯び、その磁力とマグネット１６の磁力との相互作用によって、レバー部材１４が駆動され、回転する。レバー部材１４が駆動されると、レバー部材１４に連結されている羽根部材２４が駆動される。たとえば、羽根部材２４が初期位置から移動すると、図６および図７に示す状態となる。一方、コイル２２に対して上記とは逆方向に通電し、羽根部材２４が上記とは逆方向に駆動すると、図２および図３に示す状態となる。
【００４３】
なお、本実施形態のマグネット１６とコイル２２とは、ボイス・コイル・モータ（以下、「ＶＣＭ」と言う。）として機能する。そして、このＶＣＭによってレバー部材１４に駆動力が与えられる。
【００４４】
なお、羽根部材２４は、動作時にたわまない程度に光軸方向に所定の厚みを有しているため、自身の作動を支持する支持部材を有することなく、動作することができる。
【００４５】
レンズバレル２８は、第１レンズ保持部３２、第２レンズ保持部３４、連結部３６、及びバレルベース部４０を含んで構成されている。第１レンズ保持部３２は、第１レンズ群を保持する。第２レンズ保持部３４は、第２レンズ群を保持する。連結部３６は、第１レンズ保持部と第２レンズ保持部とを連結する。バレルベース部４０は、ベース部材１２にレンズバレル２８を固定する。また、光軸方向において第１レンズ保持部３２と第２レンズ保持部３４との間に、スリット３８が形成されている。なお、第１レンズ保持部３２に設けられている開口部が、本実施例の羽根駆動装置１０における露光開口となる。
【００４６】
第１レンズ保持部３２および第２レンズ保持部３４は、それぞれ少なくとも１枚のレンズから構成されるレンズ群を保持する。スリット３８に対して羽根部材２４が挿入されると、羽根部材２４は、２つのレンズ群の間に配置された状態となる。
【００４７】
図９および図１０に示すように、レバー部材１４が初期位置にある状態で、羽根駆動部にレンズバレル２８が固定されると、羽根駆動装置１０は開状態となる。開状態では、羽根部材２４によって開口部が遮蔽されずに全開となり、羽根部材２４の先端がレンズバレル２８の内部に差し込まれた状態となる。
【００４８】
ここで、図１１および図１２に示すように、羽根部材２４の作動面２４ｂは、光軸方向において第１レンズ保持部３２のスリット側の面よりも低くなるよう（光軸方向後方に位置するよう）にされている。そして、段差面２４ｃは、光軸方向においてこのような作動面２４ｂよりもさらに低くなるよう（さらに光軸方向後方に位置するよう）にされている。このようにすることで、レバー部材１４と羽根部材２４との連結を保持する連結保持部材２６を、光軸方向において作動面２４ｂよりも飛び出すことなく、ベース部材１２に設けることができる。
【００４９】
図１３に示すように、羽根部材２４が移動すると、レンズバレル２８の開口部の一部が羽根部材２４によって覆われた小絞り状態となる。なお、羽根駆動装置１０の小絞り状態は、閉状態と言われることもある。
【００５０】
また、図１４に示すように、羽根部材２４の光軸方向の厚みは、スリット３８の幅に対して、２０％以上９５％以下の関係を有するように設計されている。このように設計することで、羽根部材２４を支持する部材を用いずに、羽根部材２４を適切に駆動することができるとともに、羽根駆動装置１０の光軸方向の厚みを薄くすることができる。
【００５１】
以上の説明から分かるように、本実施形態の構成によれば、羽根駆動装置１０の光軸方向の厚みの増加につながる羽根部材２４を支持する部材を用いることなく、羽根部材２４がレンズバレル２８内を確実に動作するようにできる。
【００５２】
＜２．実施形態２＞
次に、本発明の実施形態２について、図面を参照しながら説明する。実施形態２の羽根駆動装置１０は、実施形態１の羽根駆動装置１０と比較して、羽根部材とレバー部材とが一体形成されている点などで相違し、それ以外の構成等は同様である。以下の説明では、他の実施形態が実施形態１と相違する点についての説明を行い、実施形態１と同様の構成等についてはその説明を省略する。
【００５３】
図１５から図１７などに示されるように、実施形態２の羽根駆動部は、ベース部材５０、マグネット１６、保持部材１８、磁性体２０、コイル２２、および羽根部材６０を含んで構成される。
【００５４】
ベース部材５０は、実施形態１のベース部材１２と同様、第３嵌合孔５０ａおよび第３巻回部５０ｃを含むとともに、後述する羽根部材６０の連結軸６０ｃが任意に移動可能な作動部５０ｂを含む。作動部５０ｂは、Ｙ軸方向にベース部材５０が凹んだ部分を指す。
【００５５】
羽根部材６０は、実施形態１のレバー部材１４と羽根部材２４とを一体化したものである。そのため、羽根部材６０は、実施形態１のレバー部材１４と同じ回転ピン６０ａおよび収容部６０ｂを含むとともに、実施形態１の羽根部材２４と同じ作動面６０ｄおよび絞り開口６０ｅを有している。そして、実施形態２の羽根部材６０は、羽根部材に相当する部分とレバー部材に相当する部分とを連結する連結軸６０ｃを有している。この連結軸６０ｃは、光軸方向に延びる棒状であり、一方端に羽根部材に相当する部分が連結され、他方端にレバー部材に相当する部分が連結されている。
【００５６】
続いて、実施形態２の羽根駆動部を組み立てる手順を説明する。図１５から図１８などに示されるように、マグネット１６が羽根部材６０の収容部６０ｂに保持され、その羽根部材６０の回転ピン６０ａをベース部材５０の第３嵌合孔５０ａに嵌合する。このとき、ベース部材５０の作動部５０ｂの下側から、連結軸６０ｃを差し込むことで、回転ピン６０ａを第３嵌合孔５０ａに嵌合することができる。また、実施形態１と同様に、保持部材１８をベース部材５０に取り付けたのち、保持部材１８の第２巻回部１８ｂおよびベース部材５０の第３巻回部５０ｃにコイル２２の導線が巻回される。このとき、羽根部材６０を図１７に示すように、コイル２２における導線の巻回位置から退避した状態にすることで、コイル２２の導線を巻回すときに羽根部材６０が邪魔にならず、巻回しやすいようにする。
【００５７】
そして、このようにして組み立てられた実施形態２の羽根駆動部において、ＶＣＭが動作すると、羽根部材６０は図１６または図１８の状態となる。さらに、羽根駆動部にレンズバレル２８が取り付けられた状態でＶＣＭが駆動されると、図１９に示す開状態または図２０に示す閉状態となる。
【００５８】
以上の説明から分かるように、本実施形態の羽根駆動装置１０では、羽根部材６０にレバー部材を一体形成することで、実施形態１で用いた連結保持部材２６を用いることなく、ベース部材５０は羽根部材６０を安定して保持することができる。これにより、羽根駆動部材１０の部品点数を減らすことができ、材料コスト等を削減することができる。
【００５９】
＜３．補足事項＞
【００６０】
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００６１】
なお、絞り開口を有する羽根部材２４を駆動する羽根駆動装置１０は絞り装置と言われることもある。また、シャッタ羽根を駆動する羽根駆動装置１０はシャッタと言われ、フィルタ羽根を駆動する羽根駆動装置１０はフィルタ切り替え装置と言われることもある。すなわち、本発明の羽根駆動装置１０は、絞り装置、シャッタ、またはフィルタ切り替え装置の総称であるといえる。
【００６２】
また、羽根駆動源には、ＶＣＭに代えて、マグネットロータをＵ字型のヨークで挟む形状のモータなどの、他のアクチュエータが用いられてもよい。
【００６３】
上述した羽根駆動装置１０は、たとえば図２１に示すような、いわゆるスマートフォン、いわゆるフィーチャーフォン、またはタブレット機器などの携帯情報機器９０用の撮像装置８０を構成する部品として用いられてもよい。
【産業上の利用可能性】
【００６４】
本発明は、特に羽根部材を駆動するための羽根駆動装置として効果的に利用される。
【符号の説明】
【００６５】
１０    …  羽根駆動装置
１２    …  ベース部材
１２ａ    …  第１嵌合孔
１２ｂ    …  長孔
１２ｃ    …  第１巻回部
１４    …  レバー部材
１４ａ    …  回転ピン
１４ｂ    …  連結部
１４ｃ    …  収容部
１６    …  マグネット
１８    …  保持部材
１８ａ    …  第２嵌合孔
１８ｂ    …  第２巻回部
２０    …  磁性体
２０ａ    …  襷部
２２    …  コイル
２４    …  羽根部材
２４ａ    …  連結ピン
２４ｂ    …  作動面
２４ｃ    …  段差面
２４ｄ    …  絞り開口
２６    …  連結保持部材
２８    …  レンズバレル
３２    …  第１レンズ保持部
３４    …  第２レンズ保持部
３６    …  連結部
３８    …  スリット
４０    …  レンズベース部
５０    …  ベース部材
５０ａ    …  第３嵌合孔
５０ｂ    …  作動部
５０ｃ    …  第３巻回部
６０    …  羽根部材
６０ａ    …  回転ピン
６０ｂ    …  収容部
６０ｃ    …  連結軸
６０ｄ    …  作動面
６０ｅ    …  絞り開口
【図１】
2019049671.tif 000003
【図２】
2019049671.tif 000004
【図３】
2019049671.tif 000005
【図４】
2019049671.tif 000006
【図５】
2019049671.tif 000007
【図６】
2019049671.tif 000008
【図７】
2019049671.tif 000009
【図８】
2019049671.tif 000010
【図９】
2019049671.tif 000011
【図１０】
2019049671.tif 000012
【図１１】
2019049671.tif 000013
【図１２】
2019049671.tif 000014
【図１３】
2019049671.tif 000015
【図１４】
2019049671.tif 000016
【図１５】
2019049671.tif 000017
【図１６】
2019049671.tif 000018
【図１７】
2019049671.tif 000019
【図１８】
2019049671.tif 000020
【図１９】
2019049671.tif 000021
【図２０】
2019049671.tif 000022
【図２１】
2019049671.tif 000023